(57)【要約】【課題】シートを容易に切断することのできるシート切断具を提供する。【解決手段】この考案のシート切断具１は、シート４１を所定の長さで切断するものであって、シート４１が通る貫通部４および、前記シート４１の該貫通部４を通過した引出し部分４２が載置される載置面５を有するシート支持部材２と、シート４１の切断に用いる刃部３ａが設けられるとともに、シート支持部材２の前記貫通部４よりもシート４１の引出し方向の先端側の載置面５上の位置で、前記刃部３ａが該載置面５に対して離隔・接近変位可能に構成された可動カッター部材３とを具えてなるものである。【選択図】図３
0003218771.tif 000002
【実用新案登録請求の範囲】
【請求項１】
シートを所定の長さで切断するシート切断具であって、
シートが通る貫通部および、前記シートの該貫通部を通過した引出し部分が載置される載置面を有するシート支持部材と、シートの切断に用いる刃部が設けられるとともに、シート支持部材の前記貫通部よりもシートの引出し方向の先端側の載置面上の位置で、前記刃部が該載置面に対して離隔・接近変位可能に構成された可動カッター部材とを具えてなるシート切断具。
【請求項２】
シート支持部材が、折り畳まれ又はロール状に巻き取られた前記シート上に覆い被さるプレート形状を有してなる請求項１に記載のシート切断具。
【請求項３】
可動カッター部材が、一端側の縁部に前記刃部を設けられ、シート支持部材上に重ね合わされるプレート形状を有し、該可動カッター部材が他端側の連結部で、シート支持部材に、当該連結部周りの回動変位を可能に連結されてなる請求項２に記載のシート切断具。
【請求項４】
可動カッター部材の一端側の縁部に設けた刃部が前記載置面上に位置するべく、前記載置面に対して該刃部が接近変位可能であり、
前記刃部が、前記載置面との間にシートを挟み込んだ状態での当該シートの切断を可能に構成されてなる請求項３に記載のシート切断具。
【請求項５】
可動カッター部材が、使用者により把持される取手部を有してなる請求項１〜４のいずれか一項に記載のシート切断具。
【請求項６】
シート支持部材の前記貫通部が、シートの引出し方向に直交する方向に延びるとともに、当該直交方向の一部に間隔を広げた形状を有してなる請求項１〜５のいずれか一項に記載のシート切断具。
【請求項７】
シート支持部材の前記載置面に、シートの引出し部分を該載置面から浮かすシート離隔部が設けられてなる請求項１〜６のいずれか一項に記載のシート切断具。
【請求項８】
紙巻器の紙切板として用いられる請求項１〜７のいずれか一項に記載のシート切断具。
【請求項９】
シートがミシン目のないロール状のトイレットペーパーである請求項８に記載のシート切断具。
【請求項１０】
シート支持部材及び可動カッター部材が、剛性を有する材料からなる請求項１〜９のいずれか一項に記載のシート切断具。
【考案の詳細な説明】
【技術分野】
【０００１】
この考案は、トイレットペーパー、キッチンペーパーもしくはラップフィルムその他のシートを所定の長さで切断するシート切断具に関するものであり、特には、そのようなシートを容易に切断することのできる技術を提案するものである。
【背景技術】
【０００２】
この種のシートの一例として、たとえばトイレットペーパーは一般に、ロール状に巻き取られた円筒形の状態で、壁部等に設置された紙巻器に取り付けられて使用に供される。ロール状のトイレットペーパーを保持する紙巻器は多くの場合、トイレットペーパー上に配置されてトイレットペーパーを所定の長さで切断するための紙切板が設けられている。
【０００３】
この紙切板は通常、壁部とは逆側の手前側に位置する一端側の縁部に、トイレットペーパーを切断するための刃部が設けられるとともに、壁部側に位置する他端側の連結部で、紙巻器本体等に連結される。ロール状のトイレットペーパーから所定の長さを引き出す際や、トイレットペーパーの交換をする際等に、紙切板をトイレットペーパーから持ち上げて離隔させることを可能にするため、紙切板の、紙巻器本体との連結部は、紙巻器本体に対して、ヒンジ等により当該連結部周りに回動可能に取り付けられることがある。
なお紙切板は、ロール状のトイレットペーパーの形状に倣う湾曲したプレート形状を有し、トイレットペーパーの周方向の一部を覆って配置されるものが多い。
【０００４】
上記の紙切板によりトイレットペーパーを所定の長さで切断するには、はじめに、トイレットペーパーの端部を引っ張って所望の長さ分だけ引き出す。次いで、紙切板の刃部を、トイレットペーパーの切断しようとする位置に押し付ける。その後、刃部を押し付けた状態で、トイレットペーパーの引出し部分を当該刃部に沿わせて手前に引くことで、トイレットペーパーがそこで切断され、それにより、トイレットペーパーの残部から引出し部分を分離させる。このような手順で行う紙切板による切断は、特に、ミシン目が設けられていないトイレットペーパーに対して有効である。
【考案の概要】
【考案が解決しようとする課題】
【０００５】
ところで、上述したようにして紙切板を用いてトイレットペーパーを使用するに当っては、トイレットペーパーを所定の位置で切断するに際し、トイレットペーパーの切断しようとする位置に、紙切板の刃部を比較的強い力で押し付けることが必要になる。
【０００６】
しかるに、トイレットペーパーはその芯も含めて紙製で、ある程度の柔軟性を有するものであることから、紙切板の刃部の押付けに対して変形することがある。それにより、トイレットペーパーの切断位置を、紙切板の刃部とトイレットペーパーのロール状残部との間で十分強固に挟み込むことができない結果として、トイレットペーパーを所望の長さで切断することが困難になるという問題があった。これに対して、切断を容易に行い得るようにするため、刃部を鋭利なものとすれば、使用者の手等を傷つける懸念がある。このことはトイレットペーパーに限らず、キッチンペーパーやラップフィルム等といったようなシートを所定の長さで切断する際に同様の問題が発生し得る。
【０００７】
この考案は、このような問題に対処するべくなされたものであり、それの目的とするところは、シートを容易に切断することのできるシート切断具を提供することにある。
【課題を解決するための手段】
【０００８】
この考案のシート切断具は、シートを所定の長さで切断するものであって、シートが通る貫通部および、前記シートの該貫通部を通過した引出し部分が載置される載置面を有するシート支持部材と、シートの切断に用いる刃部が設けられるとともに、シート支持部材の前記貫通部よりもシートの引出し方向の先端側の載置面上の位置で、前記刃部が該載置面に対して離隔・接近変位可能に構成された可動カッター部材とを具えてなるものである。
【０００９】
ここで、シート支持部材は、折り畳まれ又はロール状に巻き取られた前記シート上に覆い被さるプレート形状を有することが好ましい。
この場合、可動カッター部材が、一端側の縁部に前記刃部を設けられ、シート支持部材上に重ね合わされるプレート形状を有し、該可動カッター部材が他端側の連結部で、シート支持部材に、当該連結部周りの回動変位を可能に連結されていることが好適である。
【００１０】
さらにこの場合、可動カッター部材の一端側の縁部に設けた刃部が前記載置面上に位置するべく、前記載置面に対して該刃部が接近変位可能であり、前記刃部が、前記載置面との間にシートを挟み込んだ状態での当該シートの切断を可能に構成されていることが好ましい。
【００１１】
なお、可動カッター部材は、使用者により把持される取手部を有することが好ましい。
【００１２】
ところで、シート支持部材の前記貫通部は、シートの引出し方向に直交する方向に延びるとともに、当該直交方向の一部に間隔を広げた形状を有することが好ましい。
【００１３】
また、シート支持部材の前記載置面には、シートの引出し部分を該載置面から浮かすシート離隔部が設けられていることが好ましい。
【００１４】
この考案のシート切断具は、紙巻器の紙切板として用いられることが好適である。
ここでは、シートが、ミシン目のないロール状のトイレットペーパーである場合に特に有効である。
【００１５】
なお、シート支持部材及び可動カッター部材は、剛性を有する材料からなるものとすることができる。
【考案の効果】
【００１６】
この考案のシート切断具によれば、シート支持部材の載置面上の位置で、可動カッター部材の刃部がその載置面に接近変位することが可能であり、切断する際に当該載置面と刃部との間でシートを強固に挟み込むことができるので、シートを容易に切断することができる。
【図面の簡単な説明】
【００１７】
【図１】この考案の一の実施形態のシート切断具を含む紙巻器を、トイレットペーパーとともに示す斜視図である。
【図２】図１の紙巻器を、シート切断具のシート支持部材に対する可動カッター部材の刃部の離隔変位状態で示す斜視図である。
【図３】図２の紙巻器で、シート切断具のシート支持部材の貫通部からトイレットペーパーを引き出した状態を示す斜視図である。
【図４】図１の紙巻器に含まれるシート切断具が有するシート支持部材を示す斜視図である。
【図５】図１の紙巻器に用いられ得るシート切断具の他の例を示す斜視図である。
【図６】図５に示すシート切断具について、図５のＶＩ−ＶＩ線に沿う断面図である。
【図７】図１の紙巻器に用いられ得るシート切断具のさらに他の例を示す斜視図である。
【図８】図１の紙巻器に用いられ得るシート切断具が有するシート支持部材の貫通部の変形例を示す斜視図である。
【図９】他の実施形態のシート切断具を含むティッシュペーパーボックスを示す斜視図である。
【考案を実施するための形態】
【００１８】
以下に図面を参照しながら、この考案の実施の形態について詳細に説明する。
図１〜３に例示するところにおいて、図中の符号１は、一の実施形態のシート切断具を示し、また符号２１は、シート切断具１を含む紙巻器を、符号４１は、紙巻器２１に取り付けられたロール状のトイレットペーパーをそれぞれ示す。
【００１９】
なお、長尺のシートの一例としてのトイレットペーパー４１は、一般には紙製円筒状の芯の周囲に、一枚もの又は二枚もしくは三枚重ね等の長尺紙を多数周にわたって巻き取られてなるものであり、全体として円筒形のロール状をなす。
トイレットペーパー４１は、それを構成する長尺紙に、その長手方向に所定の間隔をおいて、幅方向に横断するミシン目が設けられたもの又は、そのようなミシン目を有しないものがあるが、この考案は特に、長尺紙にミシン目を有しないトイレットペーパー４１に対して用いることが有効である。但し、長尺紙にミシン目を設けたトイレットペーパーに用いることもできる。
【００２０】
またここで、紙巻器２１は、トイレットペーパーホルダー等とも称され得るものであり、種々のものを用いることができる。この例では、紙巻器２１は概して、トイレットペーパー４１をその幅方向の両側から挟むよう配置された一対の側壁部分２２ａ、２２ｂと、トイレットペーパー４１の背後で、図示しない壁部に取り付けられ、側壁部分２２ａ、２２ｂの相互を連結する連結部分２３と、図面に示すところからは明らかではないが、側壁部分２２ａ、２２ｂ間の少なくとも一部で幅方向に延びて、側壁部分２２ａ、２２ｂに、たとえば回転可能に挟持され、トイレットペーパー４１の芯の内側を通る芯棒とを含む紙巻器本体２４を有するものである。
【００２１】
そしてここでは、紙巻器２１の紙切板として、シート切断具１を設けている。シート切断具１は主に、図１〜３に示すように、紙巻器本体２４に取り付けられるシート支持部材２と、トイレットペーパー４１の切断に用いる刃部３ａを有する可動カッター部材３とを具える。
【００２２】
このうち、図示のシート支持部材２は、紙巻器本体２４に取り付けられる壁部側の平板部分および、該平板部分に連続するとともに、使用者に近い手前側で、ロール状のトイレットペーパー４１の外形に倣うように、トイレットペーパー４１側（下方側）に向けて湾曲する湾曲部分を含むプレート形状をなす。これにより、シート支持部材２は、ロール状のトイレットペーパー４１上に覆い被さって配置される。
なお、シート支持部材２は、平板部分の端部で、たとえばヒンジ等を用いて回動可能に、紙巻器本体２４に取り付けることができる。この場合、新しいトイレットペーパー４１への交換の際等に、湾曲部分をトイレットペーパー４１から離れる上方側に移動させて開くことができる。
【００２３】
シート支持部材２には、図２及び３に示すように、平板部分と湾曲部分との境界付近等に、たとえばトイレットペーパー４１の幅よりも若干長い幅で幅方向に延びる形状等を有してトイレットペーパー４１から引き出された引出し部分４２が通る貫通部４を設ける。さらにシート支持部材２は、貫通部４よりも手前側の湾曲部分等の表面を、図３に示すように、貫通部４を通過した当該引出し部分４２が載置される載置面５とする。
【００２４】
また、可動カッター部材３は、図示の例では、上記のシート支持部材２上に重ね合わされて配置され、シート支持部材２の形状にほぼ整合する湾曲したプレート形状を有する。
この可動カッター部材３は、図１の重ね合わせ姿勢で使用者に近い側に位置する一端側の縁部に刃部３ａが形成されている。可動カッター部材３は、この一端側の縁部の刃部３ａがシート支持部材２の載置面５上に位置するように、刃部３ａが載置面５に対して接近変位可能に取り付けられる。シート支持部材２への可動カッター部材３の取付けは、壁部側の他端側に設ける連結部３ｂで、シート支持部材２に対してヒンジ等により回動可能に連結されること等により行われる。この場合、可動カッター部材３は、連結部３ｂの周りで回動変位することが可能になる。
【００２５】
このような構成により、可動カッター部材３は、シート支持部材２の貫通部４よりもトイレットペーパー４１の引出し方向の先端側の、載置面５上の位置で、刃部３ａが載置面５に対して離隔・接近変位可能になる。
【００２６】
図示のシート切断具１を使用するには、使用者は、引出し部分４２がシート支持部材２の貫通部４を通って載置面５上に載置されたトイレットペーパー４１を、さらに所望の長さ分だけ引き出す。そして使用者は、可動カッター部材３の刃部３ａを、シート支持部材２の載置面５に向けて接近させるとともに、該載置面５に押し付ける。その後は、トイレットペーパー４１の引出し部分４２を手前に引く等して、トイレットペーパー４１を可動カッター部材３の刃部３ａに沿わせて切断する。
このことによれば、可動カッター部材３の刃部３ａの押付けに際し、シート支持部材２の載置面５上に載置されたトイレットペーパー４１の引出し部分４２を、当該刃部３ａと載置面５との間に強固に挟み込むことができるので、トイレットペーパー４１の引出し部分４２を容易かつ確実に切断することができる。
【００２７】
また、使用途中のロール状のトイレットペーパー４１は、紙巻器本体２４にセットされた状態で容易に回転できることから、その端部が見つけにくくなることがあるが、この実施形態のシート切断具１では、前回にトイレットペーパー４１が使用されて切断された後、その引出し部分４２は、図３に示すように、載置面５上に既に載置されることになるので、次回の使用時に、端部を探し出すことを要しないという利点もある。このような観点から、場合によっては、載置面５上に、引出し部分４２の滑り止めのための所定の加工もしくはシートの貼付を行うことも考えられる。
【００２８】
なお、可動カッター部材３の刃部３ａは、その部分で厚みを薄くして鋭利にすることや、鋸状にすること等により形成することができる。また、刃部３ａは、可動カッター部材３の他の部分と同質の材料で一体に形成することができるが、刃部３ａのみを金属材料等の別個の材料で形成して取り付けてもよい。
【００２９】
ここで、可動カッター部材３は、使用者により把持される取手部６を有するものとしてもよい。図示の実施形態では、可動カッター部材３の、シート支持部材２側を向く裏面とは逆側の表面にて、幅方向の中央域に、該表面から突出する取手部６を、幅方向にやや長い直方体状で設けている。但し、取手部の形状、寸法及び形成位置はこれに限定されず、実用性やデザイン性その他の要素を考慮して適宜変更することができる。
【００３０】
またここで、シート支持部材２に設ける貫通部４は、トイレットペーパー４１等の対象のシートが通ることのできるものであれば、特にその形状や大きさ等に制限はない。但し、図示の実施形態のように、貫通部４を、トイレットペーパー４１の幅よりも長い幅で幅方向に延びる形状とすることは、トイレットペーパー４１が容易に通過できるので好ましい。
また図４に示すように、貫通部４は、トイレットペーパー４１の引出し方向（図４では下方向）に直交する方向である幅方向（図４では左右方向）に延びるものとした場合、当該直交方向（つまり幅方向）の一部で、引出し方向の間隔を広げた形状とすることが好適である。これにより、貫通部４のその間隔を広げた部分から、貫通部４内に指等を挿入して、トイレットペーパー４１の端部を摘み、これを貫通部４から載置面５側に引き出すことが容易になる。貫通部４の間隔を広げる部分の位置及び形状は適宜決定することができるが、図示の例では、貫通部４の幅方向の中央域で、壁部側（図４の上方側）の縁部を山型にくり貫くことにより、当該中央域の間隔を広げている。なお、その山型のくり貫き部分は、図４に破線で示す可動カッター部材３の連結部３ｂを跨いでその両側に存在するよう形成されている。
【００３１】
ところで、シート支持部材２の載置面５には、必要に応じて、図５に示す他の例のように、トイレットペーパー４１の引出し部分４２を載置面５から浮かすシート離隔部７を設けることができる。このシート離隔部７は、図６に図５のＶＩ−ＶＩ線に沿う断面図で示すように、ある程度の弾性を有するプラスチック製の矩形状等の二個の切片等をそれぞれ、幅方向に互いに間隔をおいて、その一端部７ａのみで載置面５に接着させて構成したものである。これにより載置面５上に載置されるトイレットペーパー４１の引出し部分４２は、シート離隔部７の片持ち姿勢になる上記の切片の他端部７ｂ側によって、載置面５から離されるので、使用者が当該引出し部分４２を容易に掴むことができる。なお、図示は省略するが、シート離隔部は、たとえば、シート支持部材と一体に形成されて載置面から隆起する突起状のもの等といった様々な態様とすることができる。
【００３２】
図７に、シート切断具１のさらに他の例を示す。このシート切断具１では、シート支持部材２の引出し方向の先端部に、該先端部から側方のそれぞれに突出して、紙巻器本体２４の側壁部分２２ａ、２２ｂに当接するストッパー部８が設けられている。この場合、ストッパー部８の、側壁部分２２ａ、２２ｂへの当接は、シート支持部材２の先端部がトイレットペーパー４１に接触することを防止し、それにより、使用時に、当該先端部の、トイレットペーパー４１の回転への干渉を防ぐことができる。
【００３３】
図８に、シート切断具１のさらに他の例を示す。図８のシート切断具１は、シート支持部材２に、先述したような穴形状ではなく、シート支持部材２の壁部側の端部に到達する切欠き形状の貫通部４ａを設けたことを除き、先に述べたものと同様の構成を有するものである。貫通部４ａはこのような切欠き形状のものであっても、トイレットペーパーを通すことができるものであればよい。
【００３４】
以上に述べたところでは、シートをトイレットペーパー４１として、この考案を紙巻器２１に適用することについて例示説明したが、この考案は、たとえば、キッチンペーパー又は、食品用等のラップフィルムもしくはアルミホイルその他のロール状のシートに対しても、所要に応じて適宜変更を加えた上で用いることが可能である。
また、ロール状のシートに限らず、所定の形状に折り畳まれてまとめられたシートにも適用可能である。たとえば、図９に、シートをティッシュペーパーとした場合の実施形態のシート切断具１１を示す。図９のシート切断具１１は、たとえば、ボックスティッシュを収納するティッシュケース６１におけるティッシュペーパーの取出し面６２（上面）に設けられたシート支持部材１２と、シート支持部材１２に回動変位可能に取り付けられた可動カッター部材１３とを具える。
【００３５】
なお図９では、シート支持部材１２には、ティッシュペーパーが通る穴形状の貫通部１４及び、ティッシュペーパーの引出し部分が載置される載置面１５を有し、そして、可動カッター部材１３は、刃部１３ａを設けた一端部とは逆側の他端部の連結部１３ｂにて、シート支持部材１２の貫通部１４を隔てた載置面１５とは逆側に連結されている。
これにより、ティッシュペーパーを所定の位置で切断する場合に、その切断を容易に行うことができる。
【００３６】
上述したシート切断具１、１１において、シート支持部材２、１２及び可動カッター部材３、１３は、通常の使用では変形しないプラスチック製、金属製もしくは木製等といったような剛性を有する材料からなるものとすることが好ましい。
【符号の説明】
【００３７】
１、１１  シート切断具
２、１２  シート支持部材
３、１３  可動カッター部材
３ａ、１３ａ  刃部
３ｂ、１３ｂ  連結部
４、４ａ、１４  貫通部
５、１５  載置面
６  取手部
７  シート離隔部
７ａ  一端部
７ｂ  他端部
８  ストッパー部
２１  紙巻器
２２ａ、２２ｂ  側壁部分
２３  連結部分
２４  紙巻器本体
４１  トイレットペーパー（シート）
４２  引出し部分
６１  ティッシュケース
６２  ティッシュペーパーの取出し面
【図１】
0003218771.tif 000003
【図２】
0003218771.tif 000004
【図３】
0003218771.tif 000005
【図４】
0003218771.tif 000006
【図５】
0003218771.tif 000007
【図６】
0003218771.tif 000008
【図７】
0003218771.tif 000009
【図８】
0003218771.tif 000010
【図９】
0003218771.tif 000011